(57)【要約】      （修正有）【課題】籾殻等の植物原料の燻し焼き炭化および燻し焼き灰化のいずれにも最適な空気導入が容易かつ確実に可能な燻し焼き装置の空気導入機構を提供する。【解決手段】掛止軸３５１は、燻し焼き炭化が植物原料の最下層に到達すると、燻し焼き炭化の熱によって屈撓あるいは焼折して、シャッタ本体３２０の掛止を解除する。シャッタ本体３２０が第１端辺部３２１を底端辺部として掛止されている場合には、第１送気開口部３１０を介して自然送気し、上記掛止の解除により、シャッタ本体３１０が摺動降下して第１送気開口部３１０を閉成被覆して上記自然送気を停止し、シャッタ本体３２０が第２端辺部３２２を底端辺部として掛止されている場合には、第１送気開口部３１０を介して自然送気し、上記掛止の解除により、シャッタ本体３２０が摺動降下して第２送気開口部３３０が重なるように第１送気開口部３１０を被覆し、第２送気開口部３３０を介して自然送気する。【選択図】図１
2015044964.tif 000002
【特許請求の範囲】
【請求項１】
内部の空隙がグリッド部によって天側の燻し焼き室と底側の空気導入室に分割された燻し焼き窯の前記空気導入室に、植物原料を層順次に燻し焼き炭化するのに適量の空気を自然送気したあと、この自然送気を停止して燻炭を消火するか、あるいは燻炭を層順次に燻し焼き灰化するのに適量の空気を自然送気する燻し焼き装置の空気導入機構であって、
前記燻し焼き窯の前記空気導入室を構成する周面部位を開口する第１送気開口部と、
前記燻し焼き窯の周面を自重で摺動降下可能なシャッタ本体と、
前記第１送気開口部よりも狭い開口量で、前記シャッタ本体の第１端辺部よりもこれと向合する第２端辺部に近い部位を開口する第２送気開口部と、
前記シャッタ本体の摺動降下をガイドするシャッタガイド部と、
燻し焼き炭化が前記燻し焼き室内の植物原料の最下層に到達するまでは、当接支止部位が前記シャッタ本体の底端辺部を当接支止して、前記シャッタ本体の摺動降下を掛止し、燻し焼き炭化が植物原料の最下層に到達して、可撓可焼部位が燻し焼き炭化の熱によって屈撓あるいは焼折したら、前記掛止を解除する掛止構成体と、
前記掛止構成体を前記グリッド部に設置するための掛止ガイド部と
を備え、
前記シャッタ本体が前記第１端辺部を前記底端辺部として前記掛止構成体に掛止されている場合には、この掛止がされている間は、前記第１送気開口部を介して燻し焼き炭化に適量の空気を自然送気し、前記掛止構成体が前記掛止を解除すると、前記シャッタ本体が摺動降下して前記第１送気開口部を閉成被覆し、前記自然送気を停止し、
前記シャッタ本体が前記第２端辺部を前記底端辺部として前記掛止構成体に掛止されている場合には、この掛止がされている間は、前記第１送気開口部を介して燻し焼き炭化に適量の空気を自然送気し、前記掛止構成体が前記掛止を解除すると、前記シャッタ本体が摺動降下して前記第２送気開口部が重なるように第１送気開口部を被覆し、前記第２送気開口部を介して燻し焼き灰化に適量の空気を自然送気する
ことを特徴とする燻し焼き装置の空気導入機構。
【請求項２】
前記グリッド部の前記当接支止部位の近傍にグリッド盤体切欠き部が設けられていることを特徴とする請求項１に記載の燻し焼き装置の空気導入機構。
【請求項３】
前記シャッタ本体の前記底端辺部に前記当接支止部位が嵌合する嵌合切欠き部が設けられていることを特徴とする請求項１または２に記載の燻し焼き装置の空気導入機構。
【請求項４】
前記シャッタ本体の前記第２送気開口部の周囲にフード部が凸設されていることを特徴とする請求項１ないし３の何れかに記載の燻し焼き装置の空気導入機構。
【請求項５】
前記グリッド部の中心部から周端辺部までの途中の位置に前記可撓可焼部位が配置されていることを特徴とする請求項１ないし４の何れかに記載の燻し焼き装置の空気導入機構。
【請求項６】
請求項１ないし５の何れかに記載の燻し焼き装置の空気導入機構を使用した燻炭の製造方法であって、
前記シャッタ本体の前記第１端辺部を前記底端辺部として、前記シャッタ本体を前記掛止構成体に掛止させ、前記第１送気開口部を介して燻し焼き炭化に適量の空気を自然送気することによって、前記燻し焼き室内の植物原料を層順次に燻し焼き炭化する手順と、
前記掛止構成体が前記掛止を解除し、前記シャッタ本体が摺動降下して前記第１送気開口部を閉成被覆することによって、前記自然送気を停止して燻し焼きを消火する手順と
を含むことを特徴とする燻炭の製造方法。
【請求項７】
請求項１ないし５の何れかに記載の燻し焼き装置の空気導入機構を使用した燻灰の製造方法であって、
前記シャッタ本体の前記第２端辺部を前記底端辺部として、前記シャッタ本体を前記掛止構成体に掛止させ、前記第１送気開口部を介して燻し焼き炭化に適量の空気を自然送気することによって、前記燻し焼き室内の植物原料を層順次に燻し焼き炭化する手順と、
前記掛止構成体が前記掛止を解除し、前記シャッタ本体が摺動降下して前記第２送気開口部が重なるように第１送気開口部を被覆し、前記第２送気開口部を介して燻し焼き灰化に適量の空気を自然送気することによって、前記燻し焼き室内の燻炭を層順次に燻し焼き灰化する手順と
を含むことを特徴とする燻灰の製造方法。
【発明の詳細な説明】
【技術分野】
【０００１】
本発明は、籾殻等の植物原料を燻し焼きして、燻炭，燻灰，燻液（酢液）を製造する燻し焼き装置に関連し、特にこのような燻し焼き装置の燻し焼き窯内に空気を自然送気する空気導入機構に関するものである。
【背景技術】
【０００２】
籾殻等の植物原料を燻し焼き炭化して得られる炭（燻炭）は、例えば、農業や園芸において植物成長調整剤や土壌改良剤などとして使用され、畜産や酪農において家畜の整腸剤や栄養補給剤あるいは畜舎の消臭衛生剤として使用される。
【０００３】
燻炭を製造する装置としては、例えば、グリッド部によって底側（下側）の空気導入室と天側（上側）の燻し焼き室とに分割された構造の燻し焼き窯の上記燻し焼き室に、籾殻等の植物原料を充填し、底側の空気導入室から空気を供給するとともに、天側から排気しつつ、植物原料の最上層（天面表層）から下層に向けて燻し焼きして層順次に炭化し、この燻し焼き炭化が植物原料の最下層（底面表層）まで達したら、空気供給を停止して消火することによって、弱酸性〜略中性の燻炭を製造するものがある（特許文献１，２参照）。
【０００４】
このような燻し焼き装置の空気導入機構は、燻し焼き窯の送気開口部を囲い込むようにしてフード部を凸設し、このフード部の天側端辺（上端辺）を回動軸として回動可能に開閉蓋を設け、この開閉蓋を回動させて上記フード部を開閉することによって、上記送気開口部を開閉する構成である。
【０００５】
さらには、燻し焼き炭化が植物原料の最下層に達したことを感知したら、空気の導入を停止することによって、燻し焼きを自動消火できるようにした自動消火装置もある（特許文献２参照）。
【０００６】
このような自動消火装置を備えた空気導入機構では、燻し焼き時には、その一端がグリッド部において可燃物質を介して支持された支持棒の他端によって、上記開閉蓋を支持固定し、これによって上記フード部（従って上記送気開口部）を開成しておく。
【０００７】
そして、燻し焼き層が最下層に到達すると、上記可燃物質が焼けて上記支持棒が上記開閉蓋を支持できなくなるので、上記開閉蓋が回動して上記フード部に当接して隙間がなくなり、これによって上記フード部（従って上記送気開口部）が閉成され、空気供給が停止して、燻し焼きが消火される。
【０００８】
また、炉内温度を４５０〜８００℃の低温に制御するとともに、導入空気量や灰自体の温度等の焼成条件を制御しつつ、籾殻を灰化することによって、溶解性が高いケイ酸成分を含有した籾殻灰を得る肥料化法が提案されている（特許文献３参照）。
【０００９】
もともと、ケイ酸は、土壌中に豊富に含まれているが、土壌中のケイ酸は、非晶質構造ではなく、水等の溶解性が低いために肥料価値が低い。しかし、籾殻等のイネ科の植物原料は、一般に、そのミネラル成分中に非晶質のケイ酸成分を豊富に含有しており、上記低温での灰化によって得られた籾殻灰は、非晶質で水等の溶解性が高いケイ酸成分を豊富に含んでいるため、水稲などの農作物の肥料として有効である。
【００１０】
このような溶解性の高い籾殻の燻灰（燻炭を燻し焼き灰化して得られる灰）を製造するのに、上記従来の燻し焼き装置は適している。植物原料を上層から下層に層順次に燻し焼き炭化して得られた消火前の燻炭を、今度は逆に下層から上層に層順次に燻し焼き灰化することよって、８００°以下の低温での燻し焼き灰化が可能だからである。
【００１１】
燻炭を８００°以下の低温で燻し焼き灰化して燻灰を製造する際には、燻し焼き炭化を終了しても、空気の自然送気を停止せず（送気開口部を完全閉成せず）、一般に燻し焼き炭化時よりも少量の空気の自然送気を継続することによって、消火前の燻炭を層順次に燻し焼き灰化する。
【先行技術文献】
【特許文献】
【００１２】
【特許文献１】特開昭５８−１７８０号公報
【特許文献２】実公平４−４４６０９号公報
【特許文献３】特開２００６−１１１４８０号公報
【発明の概要】
【発明が解決しようとする課題】
【００１３】
上記のように、植物原料や燻炭を層順次に燻し焼きする燻し焼き装置は、燻炭の製造のみならず、燻灰の製造にも適している。しかしながら、上記自動消火装置も含めた従来の空気導入機構は、１つの燻し焼き装置で燻炭の製造のみならず燻灰の製造もするために、最適な構成であるとは言い難い。
【００１４】
上記従来の空気導入機構は、燻し焼き窯の周面の空気導入室を構成する部位を開口する送気開口部の周囲にフード部を凸設し、このフード部の突端に、回動可能な開閉蓋を設けた構成である。燻炭の製造のみであれば、燻し焼き時には開閉蓋とフード部との間に隙間を作り、消火時にはその隙間を完全閉成する上記構成で足りる。
【００１５】
しかし、一般に、低温での燻し焼き灰化に最適な自然送気量は、燻し焼き炭化のそれよりも少ない。このため、燻灰の製造時には、燻し焼き灰化の開始の際に、燻し焼き炭化時よりも上記隙間を狭くして残しておく必要があるが、例えばフード部に突起を設けて上記隙間を僅かに確保する構成では、空気の自然送気量が不安定になる心配がある。
【００１６】
また、上記従来の空気導入機構は、燻し焼き窯にフード部を凸設し、このフード部に開閉蓋を回動可能に設けた構成である。さらに、上記自動消火装置を設けた場合には、グリッド部にトンネルガイド部を設け、このトンネルガイド部に、開閉蓋を開成支持するための支持棒を挿入した構成も付加される。このため、構成自体が複雑なものとなり、構成部品も大型なものとなるため、メンテナンス頻度が高くなり、燻し焼き装置を家庭用等に小型化するにも、最適な構成であるとは言い難い。
【００１７】
本発明は、このような従来の課題を解決するためになされたものであり、燻し焼き炭化および燻し焼き灰化のいずれにも最適な空気導入が容易かつ確実に可能な燻し焼き装置の空気導入機構を提供することを目的としてなされたものである。
【課題を解決するための手段】
【００１８】
上記目的を達成するために、本発明の第１の燻し焼き装置の空気導入機構は、内部の空隙がグリッド部によって天側の燻し焼き室と底側の空気導入室に分割された燻し焼き窯の前記空気導入室に、植物原料を層順次に燻し焼き炭化するのに適量の空気を自然送気したあと、この自然送気を停止して燻炭を消火するか、あるいは燻炭を層順次に燻し焼き灰化するのに適量の空気を自然送気する燻し焼き装置の空気導入機構であって、前記燻し焼き窯の前記空気導入室を構成する周面部位を開口する第１送気開口部と、前記燻し焼き窯の周面を自重で摺動降下可能なシャッタ本体と、前記第１送気開口部よりも狭い開口量で、前記シャッタ本体の第１端辺部よりもこれと向合する第２端辺部に近い部位を開口する第２送気開口部と、前記シャッタ本体の摺動降下をガイドするシャッタガイド部と、燻し焼き炭化が前記燻し焼き室内の植物原料の最下層に到達するまでは、当接支止部位が前記シャッタ本体の底端辺部を当接支止して、前記シャッタ本体の摺動降下を掛止し、燻し焼き炭化が植物原料の最下層に到達して、可撓可焼部位が燻し焼き炭化の熱によって屈撓あるいは焼折したら、前記掛止を解除する掛止構成体と、前記掛止構成体を前記グリッド部に設置するための掛止ガイド部とを備え、前記シャッタ本体が前記第１端辺部を前記底端辺部として前記掛止構成体に掛止されている場合には、この掛止がされている間は、前記第１送気開口部を介して燻し焼き炭化に適量の空気を自然送気し、前記掛止構成体が前記掛止を解除すると、前記シャッタ本体が摺動降下して前記第１送気開口部を閉成被覆し、前記自然送気を停止し、前記シャッタ本体が前記第２端辺部を前記底端辺部として前記掛止構成体に掛止されている場合には、この掛止がされている間は、前記第１送気開口部を介して燻し焼き炭化に適量の空気を自然送気し、前記掛止構成体が前記掛止を解除すると、前記シャッタ本体が摺動降下して前記第２送気開口部が重なるように第１送気開口部を被覆し、前記第２送気開口部を介して燻し焼き灰化に適量の空気を自然送気することを特徴とするものである。
【００１９】
本発明の第２の燻し焼き装置の空気導入機構は、上記第１の燻し焼き装置の空気導入機構において、前記グリッド部の前記当接支止部位の近傍にグリッド盤体切欠き部が設けられていることを特徴とすることを特徴とするものである。
【００２０】
本発明の第３の燻し焼き装置の空気導入機構は、上記第１または第２の燻し焼き装置の空気導入機構において、前記シャッタ本体の前記底端辺部に前記当接支止部位が嵌合する嵌合切欠き部が設けられていることを特徴とするものである。
【００２１】
本発明の第４の燻し焼き装置の空気導入機構は、上記第１ないし第３の何れかの燻し焼き装置の空気導入機構において、前記シャッタ本体の前記第２送気開口部の周囲にフード部が凸設されていることを特徴とするものである。
【００２２】
本発明の第５の燻し焼き装置の空気導入機構は、上記第１ないし第４の何れかの燻し焼き装置の空気導入機構において、前記グリッド部の中心部から周端辺部までの途中の位置に前記可撓可焼部位が配置されていることを特徴とするものである。
【００２３】
本発明の燻炭の製造方法は、上記第１ないし第５の何れかの燻し焼き装置の空気導入機構を使用した燻炭の製造方法であって、前記シャッタ本体の前記第１端辺部を前記底端辺部として、前記シャッタ本体を前記掛止構成体に掛止させ、前記第１送気開口部を介して燻し焼き炭化に適量の空気を自然送気することによって、前記燻し焼き室内の植物原料を層順次に燻し焼き炭化する手順と、前記掛止構成体が前記掛止を解除し、前記シャッタ本体が摺動降下して前記第１送気開口部を閉成被覆することによって、前記自然送気を停止して燻し焼きを消火する手順とを含むことを特徴とするものである。
【００２４】
本発明の燻灰の製造方法は、上記第１ないし第５の何れかの燻し焼き装置の空気導入機構を使用した燻炭の製造方法であって、前記シャッタ本体の前記第２端辺部を前記底端辺部として、前記シャッタ本体を前記掛止構成体に掛止させ、前記第１送気開口部を介して燻し焼き炭化に適量の空気を自然送気することによって、前記燻し焼き室内の植物原料を層順次に燻し焼き炭化する手順と、前記掛止構成体が前記掛止を解除し、前記シャッタ本体が摺動降下して前記第２送気開口部が重なるように第１送気開口部を被覆し、前記第２送気開口部を介して燻し焼き灰化に適量の空気を自然送気することによって、前記燻し焼き室内の燻炭を層順次に燻し焼き灰化する手順とを含むことを特徴とするものである。
【発明の効果】
【００２５】
本発明によれば、燻し焼き炭化が植物原料の最下層に到達するまでは、燻し焼き窯の周面を自重で摺動降下可能なシャッタ本体を、掛止構成体によって第１送気開口部の直上に掛止して、第１送気開口部を介して燻し焼き炭化に適量の空気を自然送気し、燻し焼き炭化が植物原料の最下層に到達したら、掛止構成体が燻し焼き炭化の熱によって屈撓あるいは焼折することによって上記掛止を解除して、シャッタ本体を摺動降下させ、第１端辺部と第２端辺部の何れを底端辺部としてシャッタ本体を配置していたかによって、第１送気開口部を閉成被覆して燻し焼きを消火するか、あるいは第２送気開口部が重なるように第１送気開口部を被覆して第２送気開口部を介して燻し焼き灰化に適量の空気を自然送気することにより、簡易かつコンパクトな構成で、燻し焼き炭化および燻し焼き灰化にいずれにも最適な空気導入ならびに燻し焼きの消火が容易かつ確実に可能になるという効果がある。
【図面の簡単な説明】
【００２６】
【図１】本発明の実施の形態の燻し焼き装置の空気導入機構の構成および動作を説明する図である。
【図２】本発明の実施の形態の燻し焼き装置の全体構成を説明する図である。
【図３】本発明の実施の形態の他の空気導入機構の構成を説明する図である。
【図４】本発明の実施の形態の他の燻し焼き窯の構成を説明する図である。
【発明を実施するための形態】
【００２７】
本発明を実施するための形態について、図面を参照しつつ、以下に詳細に説明する。
【００２８】
図１は本発明の実施の形態の燻し焼き装置の空気導入機構の構成および動作を説明する図である。図１において、（ａ１），（ａ２），（ｂ１），（ｂ２）は本実施の形態の空気導入機構を備えた燻し焼き窯の正面図であり、（ａ１）および（ａ２）は燻灰を製造する場合の図、（ｂ１）および（ｂ２）は燻炭を製造する場合の図である。
【００２９】
そして、図１において、（ａ１）および（ｂ１）は植物原料を燻し焼き炭化しているときの図、（ａ２）は燻し焼き炭化によって得られた燻炭をさらに燻し焼き灰化しているときの図、（ｂ）は燻し焼き炭化によって得られた燻炭を消火しているときの図である。
【００３０】
また、図１において、（ｃ１）は上記（ａ１）において燻し焼き窯の本体円錐台部を取りはずしたときの天面（上面）図、（ｃ２）は上記（ａ１）の部分側断面図であり、（ｄ１）は上記（ａ２）において燻し焼き窯の本体円錐台部を取りはずしたときの天面図、（ｄ２）は上記（ａ２）の部分側断面図である。
【００３１】
燻し焼き窯１００は、本体円筒部１１０と、本体円錐台部１２０と、本体天蓋部１３０と、グリッド部１４０とを備えて構成されており、この燻し焼き窯１００の内部の空隙は、グリッド部１４０によって、底側の空気導入室１０１と、天側の燻し焼き室１０２とに分割されている。
【００３２】
本実施の形態の空気導入機構３００は、第１送気開口部３１０と、シャッタ本体３２０と、第２送気開口部３３０と、シャッタガイド部３４０と、掛止軸３５１と、掛止ガイド部３６０と、グリッド盤体切欠き部３７０とを備えて構成されている。
【００３３】
第１送気開口部３１０は、燻し焼き窯１００の本体円筒部１１０の周面の内、空気導入室１０１を構成する周面部位を開口削設したものである。この第１送気開口部３１０は、その天側に、掛止軸３５１を挿通突出させるための切欠き開口部を含んでいる。なお、この第１送気開口部３１０は、本実施の形態のように略円である他、例えば略楕円あるいは略四角とすることも可能である。
【００３４】
シャッタ本体３２０は、本体円筒部１１０と略同じ曲率の湾曲平盤型（半筒型）をなす、例えばステンレス鋼製あるいは鉄製の金属体であって、内周面が本体円筒部１１０の周面に当接するように配置され、燻し焼き窯１００の本体円筒部１１０の周面を自重で摺動降下可能である。
【００３５】
第２送気開口部３３０は、シャッタ本体３２０に設けられている。この第２送気開口部３３０は、第１送気開口部３１０よりも狭い開口量で、シャッタ本体３２０の向合する第１端辺部３２１および第２端辺部３２２の内、第１端辺部３２１よりも第２端辺部３２２に近い部位を開口している。なお、この第２送気開口部３３０は、本実施の形態のように略円である他、例えば略楕円あるいは略四角とすることも可能である。
【００３６】
シャッタガイド部３４０は、第１送気開口部３１０の両側に１つずつ、燻し焼き窯１００の本体円筒部１１０の周面に貼付されたように固設されており、シャッタ本体３２０の側端辺部がそれぞれ挿嵌され、シャッタ本体３２０が本体円筒部１１０の周面を摺動降下するのをガイドする。
【００３７】
掛止軸３５１は、本発明の掛止構成体に相当するものであって、シャッタ本体３２０の底端辺部を当接支止する当接支止部位、および燻し焼き炭化の熱によって屈撓あるいは焼折する可撓可焼部位を含み、燻し焼き炭化が燻し焼き室１０２内の植物原料の最下層に到達するまでは、当接支止部位がシャッタ本体３２０の底端辺部を当接支止して、シャッタ本体３２０の摺動降下を掛止し、燻し焼き炭化が植物原料の最下層に到達して、可撓可焼部位が燻し焼き炭化の熱によって屈撓あるいは焼折したら、前記シャッタ本体３２０の掛止を解除する。
【００３８】
この掛止軸３５１は、その一端部が、第１送気開口部３１０から突出してシャッタ本体３２０の底端辺部を当接支止する当接支止端部（掛止構成体の当接支止部位）となり、その他端部がガイド挿入端部となる軸体である。
【００３９】
また、掛止軸３５１は、その一部または全体が、燻し焼き炭化の熱によって屈撓あるいは焼折する可撓可焼体（屈撓あるいは焼折する部位が上記可撓可焼部位に相当する）によって構成された軸体である。この掛止軸３５１としては、専用のものを用意することの他に、例えば竹串や割り箸を簡易に使用することが可能である。
【００４０】
掛止ガイド部３６０は、掛止構成体に相当する掛止軸３５１をグリッド部１４０に設置するためのものであり、グリッド部１４０の天面に固設されている。この掛止ガイド部３６０は、正面視が略コの字型であって、側面のみならず天面をもガイドする構成となっており、掛止軸３５１のガイド挿入端部が挿入されることによって、掛止軸３５１を水平および鉛直に位置決めする。
【００４１】
この本実施の形態の空気導入機構３００は、内部の空隙がグリッド部１４０によって天側の燻し焼き室１０２と底側の空気導入室１０１に分割された燻し焼き窯１００の空気導入室１０１に、燻し焼き室１０２内の植物原料を層順次に燻し焼き炭化するのに適量の空気を自然送気したあと、この自然送気を停止して燻し焼き炭化によって得られた燻炭を消火するか、あるいは燻し焼き炭化によって得られた燻炭を消火せずに層順次に燻し焼き灰化するのに適量な空気を自然送気する。
【００４２】
つまり、燻し焼き炭化のあとに燻し焼き灰化して燻灰を製造する場合には、第２端辺部３２２を底端辺部としてシャッタ本体３２０を掛止軸３５１によって第１送気開口部３１０の直上に掛止させておき（図１（ａ１）および図１（ｃ１），（ｃ２）参照）、この掛止がされている間は、第１送気開口部３１０を介して燻し焼き炭化に適量の空気を自然送気し、掛止軸３５１が屈撓あるいは焼折して上記掛止が解除されると（図１（ｄ１），（ｄ２）参照）、シャッタ本体３２０が摺動降下して第２送気開口部３３０が重なるように第１送気開口部３１０を被覆し（図１（ａ２）および図１（ｄ１）,（ｄ２）参照）、第２送気開口部３３０を介して燻し焼き灰化に適量の空気を自然送気する。
【００４３】
また、燻し焼き炭化を消火して燻炭を製造する場合には、第１端辺部３２１を底端辺部としてシャッタ本体３２０を掛止軸３５１によって第１送気開口部３１０の直上に掛止させておき（図１（ｂ１）参照）、この掛止がされている間は、第１送気開口部３１０を介して燻し焼き炭化に適量の空気を自然送気し、掛止軸３５１が屈撓あるいは焼折して上記掛止が解除されると、シャッタ本体３２０が摺動降下して第１送気開口部３１０を閉成被覆し（図１（ｂ２）参照）、上記自然送気を停止して、燻し焼きを消火する。
【００４４】
図２は本発明の実施の形態の燻し焼き装置の全体構成を説明する図であり、（ａ）は正面図、（ｂ）は側面図、（ｃ）は天面図である。なお、図２において、図１と同様のものには同じ符号を付してある。
【００４５】
図２のように、本実施の形態の燻し焼き装置は、燻し焼き窯１００と、支持機構２００と、本実施の形態の空気導入機構３００（図１参照）と、煙突４００と、燻液原液収容器５００とを備えている。
【００４６】
燻し焼き窯１００は、本体円筒部１１０と、本体円錐台部１２０と、本体天蓋部１３０と、グリッド部１４０とを備えて構成されている。
【００４７】
本体円筒部１１０は、底面は開口されておらず、天面が開口された略円筒型をなす、例えばステンレス鋼製あるいは鉄製の金属体であって、燻し焼き窯本体を構成する部分である。
【００４８】
本体円錐台部１２０は、その天面および底面がいずれも開口された略円錐台型をなす、例えばステンレス鋼製あるいは鉄製の金属体であって、その底側周縁部が本体円筒部１１０の天側周縁部に載置されて、本体円筒部１１０とともに燻し焼き窯本体を構成する部分である。
【００４９】
本体天蓋部１３０は、略円盤型をなす、例えばステンレス鋼製あるいは鉄製の金属体であって、その周縁部が本体円錐台部１２０の天側周縁部上に載置されて、本体円錐台部１２０の天面開口を閉成する蓋として、本体円筒部１１０および本体円錐台部１２０とともに燻し焼き窯本体を構成する部分である。
【００５０】
グリッド部１４０は、例えばステンレス鋼製あるいは鉄製のグリッド円盤体であって、燻し焼き窯１００の本体円筒部１１０内に、取りはずし可能に水平張設されている。そして、このグリッド部１４０によって、燻し焼き窯１００の内部の空隙は、底側の空気導入室１０１と、天側の燻し焼き室１０２に分割されている。
【００５１】
燻し焼き窯１００において、本体円錐台部１２０は、本体円筒部１１０から取りはずし可能であり、本体天蓋部１３０も、本体円錐台部１２０から取りはずし可能である。
【００５２】
本体円錐台部１２０や本体天蓋部１３０を本体円筒部１１０から取りはずし可能な構成とすることによって、本体円筒部１１０，本体円錐台部１２０，本体天蓋部１３０の内面の洗浄や、グリッド部１４０の取りはずし洗浄等、燻し焼き窯１００のメンテナンス作業を容易にすることができるとともに、植物原料の充填作業や燻炭または燻灰の取り出し作業を容易にすることができる。
【００５３】
支持機構２００は、燻し焼き窯１００の周面に凸設された２つの支軸を掛支することによって、燻し焼き窯１００を中空位置に支持している。なお、この支持機構２００を設けずに、燻し焼き装置の設置面に燻し焼き窯１００を直接載置した構成とすることも可能である。
【００５４】
煙突４００は、煙突本体長筒部４１０と、煙突本体接続部４２０と、煙突嵌合部４３０と、煙突支柱部４４０とによって構成されている。
【００５５】
この煙突４００は、植物原料の燻し焼き炭化の際に燻し焼き窯１００の燻し焼き室１０２内に生じる燻煙（炭化時燻煙）を自然排気し、燻炭の燻し焼き灰化の際に燻し焼き室１０２内に生じる燻煙（灰化時燻煙）を自然排気する役目を果たすとともに、内部を通過する燻煙を高効率に冷却して燻液原液を結露生成させる役目を果たす。
【００５６】
煙突本体長筒部４１０は、略長筒をなしており、その底部近傍の側面部位において煙突本体接続部４２０の一端に連接されており、この煙突本体接続部４２０との連接部位を中心軸として回転可能である。
【００５７】
この煙突本体長筒部４１０の長尺の略中間位置には、１個または複数個の冷却孔が設けられている。また、この煙突本体長筒部４１０の底部には、燻液原液の滴下孔が設けられている。
【００５８】
煙突本体接続部４２０は、Ｌ字型の略円筒をなしており、その他端は、本体天蓋部１３０に固設された煙突嵌合部４３０の内周面に取りはずし可能に挿嵌されている。
【００５９】
煙突嵌合部４３０は、本体天蓋部１３０の周端部の近く、上面視において本体天蓋部１３０の中心からずれた部位に、略円筒をなして凸設されている。
【００６０】
この煙突嵌合部４３０内においては、本体天蓋部１３０が開口されているので、突嵌合部４３０に煙突接続部４２０が挿嵌されることによって、燻し焼き窯１００に煙突４００が取りはずし可能に挿通接続されることとなる。
【００６１】
そして、上面視円周において、第１送気開口部３１０の位置を回転角０°の位置とすると、本体天蓋部１３０は、煙突嵌合部４３０が回転角約１８０°の位置となるように、本体円錐台部１２０の天側周縁部上に載置される。従って、上面視において、煙突嵌合部４３０と、燻し焼き窯１００の周面に設けられている第１送気開口部３１０とのなす中心角は、約１８０°となる。
【００６２】
なお、煙突嵌合部４３０は、上記のように本体天蓋部１３０の中心からずれた部位に設けることの他、本体天蓋部１３０の略中心部位に設けることも可能である。また、煙突嵌合部４３０に煙突嵌合部４３０の内周面が挿嵌される構成とすることも可能である。
【００６３】
煙突支柱部４４０は、煙突本体長筒部４１０の長尺中間位置よりも天側の部位と燻し焼き装置の設置面（例えば地面等の水平面）の間に配置されて、煙突本体長筒部４１０を支持する。
【００６４】
燻液原液収容器５００は、煙突本体長筒部４１０の燻液原液の滴下孔の直下に位置するように、煙突本体長筒部４１０の底部に釣下げられている。
【００６５】
上記の煙突４００は、その長尺が傾斜するようにして配置される。つまり、煙突本体長筒部４１０が、例えばその長尺が鉛直と鈍角をなすように（燻し焼き装置の設置面と鋭角をなすように）、傾斜して配設される。
【００６６】
そして、この煙突本体長筒部４１０を傾斜配置した構成、さらには煙突本体長筒部４１０に冷却孔を設けた構成によって、煙突本体長筒部４１０内面において高効率に冷却結露生成された燻液原液が、滴下孔から滴下して、燻液原液収容器５００内に貯められる。
【００６７】
本実施の形態の燻し焼き装置を使用して、燻炭，燻灰，燻液を製造する手順について、以下に説明する。
【００６８】
植物原料として、ここでは籾殻を使用する。なお、この他に、例えば、稲藁，そば殻，竹，葦，薄、あるいはこれらと籾殻を混合したものを植物原料として使用することも可能である。
【００６９】
植物原料となる籾殻は、あらかじめ十分に乾燥させておく。この籾殻全体の含水率は、例えば１０〜３５重量％にすることが望ましく、最適値は１５〜２５重量％である。
【００７０】
このように、植物原料全体の含水率を１０〜３５重量％とするのは、１０％重量未満では燻液原液の回収量が少なくなるおそれがあり、３５重量％を超過すると、含有水分によって燻し焼きが鎮火中断するおそれがあるからである。
【００７１】
なお、植物原料として、稲藁など、主として植物稈部分を使用する場合には、燻し焼き時の空気の流通性を確保するために、上記植物稈部分をあらかじめ例えば３ｃｍ以下に切断しておくことが望ましい。また、植物原料の含水率を調整するために、植物原料に、おが屑や落葉を混合することも可能である。
【００７２】
まず、作業者は、本体天蓋部１３０（または本体円錐台部１２０）を本体円錐台部１２０（または本体円筒部１１０）から取りはずして、植物原料を燻し焼き窯１００の燻し焼き室１０２内に集積充填したあと、取りはずした本体天蓋部１３０（または本体円錐台部１２０）を本体円錐台部１２０（または本体円筒部１１０）の天側周円部上に載置する。
【００７３】
これとともに、作業者は、空気導入機構３００の掛止軸３５１のガイド挿入端部を掛止ガイド部３６０に挿入し、当接支止端部を第１送気開口部３１０の天側から突出させ、シャッタ本体３２０の側端辺部をシャッタガイド３２０に挿嵌して、シャッタ本体３２０の底端辺部を掛止軸３５１に掛止させ、第１送気開口部３１０を介して燻し焼き窯１００の空気導入室１０１に空気が自然送気されるようにする（図１（ａ１），（ｂ１）等参照）。
【００７４】
このとき、燻炭を製造する場合には、第１端辺部３２１を底端辺部としてシャッタ本体３２０をシャッタガイド３２０に挿嵌し（図１（ｂ１）参照）、燻灰を製造する場合には、逆に第２端辺部３２２を底端辺部としてシャッタ本体３２０をシャッタガイド３２０に挿嵌する（図１（ａ１）参照）。
【００７５】
さらに、作業者は、煙突４００の煙突本体接続部４２０を煙突嵌合部４３０に挿嵌し、煙突本体長筒部４１０を煙突支柱部４４０によって支持して、煙突４００を傾斜配置する。そして、煙突本体長筒部４１０の底端部位（燻液原液滴下孔の直下）に、燻液原液収容器５００を釣下配置する。
【００７６】
次に、作業者は、本体天蓋部１３０を天側に僅かにずらす操作をして、本体円錐台部１２０との間に幅の狭い略円環型の隙間を作り、この隙間から種火を投入して植物原料の天面表層（最上層）に点火し、全表層に炎焼（炎を伴った燃焼）が広がったことを目視確認したら、本体天蓋部１３０をもとの位置に戻して、上記隙間を閉成する。
【００７７】
植物原料の天面表層の炎焼は、本体円錐台部１２０の天面開口を本体天蓋部１３０によって閉成したあとも、しばらくの間、介在する空気中の酸素を消費しながら継続する。
【００７８】
そして、上記介在空気中の酸素を消費すると、炎焼を終了して、植物原料の燻し焼きが開始される。なお、煙突４００の排煙は、炎焼の間は白色の排煙であるが、炎焼が終了して燻し焼きが開始されると、黒色の排煙（燻煙）となる。
【００７９】
次に、燻し焼き窯１００の燻し焼き室１０２内において、植物原料の燻し焼きを層順次に移動継続させて、この植物原料が燻し焼き炭化される。
【００８０】
つまり、植物原料の燻し焼きは、この植物原料の最上層から開始され、植物原料の内の燻し焼きされている部分（植物原料燻し焼き層）が、最上層から下層に向けて順次進んでいく。そして、この植物原料燻し焼き層がグリッド部１４０の天面直上に位置する底面表層（最下層）まで到達するによって、植物原料の燻し焼き炭化が終了する。
【００８１】
植物原料の燻し焼きが開始されると、植物原料燻し焼き層は、その底側からの空気供給に応じて、植物原料の上層から下層に移動していく。酸素を含んだ適量の空気は、空気導入機構３００の第１送気開口部３１０から燻し焼き窯１００の空気導入室１０１内に自然送気され、グリッド部１４０のグリッドを通過して、まだ燻し焼きされていない下層の植物原料の間を通過し、植物原料燻し焼き層に供給される。
【００８２】
そして、植物原料燻し焼き層の熱と、底側から供給される空気との相互作用によって、植物原料燻し焼き層直下の植物原料層の燻し焼き炭化が開始され、このサイクルの繰り返しによって、植物原料燻し焼き層の下層移動がなされる。
【００８３】
このように、燻し焼き層を植物原料の上層から下層に移動させながら継続させ、植物原料の最下層まで中断することなく到達させることにより、燻し焼き室１０２内に充填された植物原料は、層順次に全て燻し焼き炭化され、燻炭となる。
【００８４】
この植物原料の燻し焼き炭化は、５００℃以下の低温での燻し焼き炭化（低温燻し焼き炭化）となる。なお、この燻し焼き化の際に、燻し焼き窯１００は静止しており、植物原料を流動させることはしないので、上記燻炭は、植物原料の容姿が略そのまま残ったものとなる。本実施の形態の籾殻を植物原料とした燻炭（籾殻燻炭）では、籾殻の容姿が略そのまま残ったものとなる。
【００８５】
上記植物原料の燻し焼き炭化の際には、空気導入機構３００のシャッタ本体３２０は、掛止軸３５１によって第１送気開口部３１０の直上に掛止されており、開口量が固定の第１送気開口部３１０を介して燻し焼き窯本体１００の空気導入室１０２内に適量の空気が自然送気され、グリッド部１４０を通過して燻し焼き室１０２に送り込まれるようになっている。従って、空気導入機構３００の構成上の送気条件は、燻し焼き炭化の開始から終了まで固定されたままである。
【００８６】
また、上記植物原料の燻し焼き炭化の際には、煙突４００の煙突本体長筒部４１０は、煙突支持部４４０によってあらかじめ固定傾斜配置されており、燻し焼き窯１００の燻し焼き室１０２内から傾斜角および開口量を固定された煙突４００を通過して炭化時燻煙が自然排気されるようになっている。従って、煙突４００の構成上の排気条件も、燻し焼き炭化の開始から終了まで固定されたままである。
【００８７】
上記植物原料の燻し焼き炭化の際、空気導入機構３００の第１送気開口部３１０を介して自然送気された空気は、植物原料燻し焼き層よりも下層の植物原料層の間を通過して植物原料燻し焼き層まで到達し、主にこの植物原料燻し焼き層で消費される。
【００８８】
植物原料燻し焼き層において生じた燻煙は、そこよりも上層のすでに燻炭となった層（炭化時燻炭層）の間を上昇して煙突４００内に誘導され、煙突４００の煙突本体長筒部４１０を介して自然排気される。なお、上記植物原料の燻し焼き炭化において、炭化時燻炭層は、下層の植物原料燻し焼き層からの上記燻煙の保護作用によって灰化が防止されるので、燻炭のまま留まることとなる。
【００８９】
本実施の形態の燻し焼き装置では、層順次の燻し焼き炭化に適量の空気を、空気導入機構３００の第１送気開口部３１０を介して植物原料燻し焼き層の底側に自然送気するとともに、炭化時燻煙を、煙突４００の煙突本体長筒部４１０を介して自然排気することによって、植物原料を最上層から下層に向けて層順次に炭化させるようにしているので、燻し焼き炭化のときに、燻し焼き室１０２内を５００℃以下の低温燻し焼き炭化の環境とすることができる。
【００９０】
そして、このような低温燻し焼き炭化によって、燻液成分およびタール成分が適度に揮発除去されるとともに、ケイ酸成分が非晶質構造のまま豊富に残留し、かつ有機成分が豊富に残留した燻炭が得られる。
【００９１】
本実施の形態によって得られる燻炭は、アルカリ性ではなく弱酸性〜略中性であって、ＰＨ値のばらつきの少ない（再現安定性の高い）ものである。このような燻炭は、その特性条件が厳しい植物成長調整剤や土壌改良剤としての用途にも、容易に使用が可能である。従って、本実施の形態による燻炭は、様々な用途に使用可能な価値が高いものである。
【００９２】
燻し焼きによって熱せられて植物原料中から揮発した燻液原液成分（燻液成分とともにタール成分等も含むもの）は、炭化時燻煙に混合されて上昇し、煙突４００内に誘導され、この煙突４００の煙突本体長筒部４１０内で冷却されて結露し、燻液原液収容器５００内に滴下貯集される。この燻液原液収容器５００内に貯集された燻液原液（炭化時燻液原液）からは、必要に応じてタール成分等が除去分離され、燻液（炭化時燻液）が抽出される。
【００９３】
植物原料の最下層が燻し焼き炭化されることによって、植物原料の燻し焼き炭化が終了するが、燻し焼き炭化が植物原料の最下層に到達すると（植物原料燻し焼き層が最下層に到達すると）、この燻し焼き炭化の熱によって、掛止軸３５１の可撓可焼部位（掛止軸３５１全体が可撓可焼体の場合には最も高温になった部位）が屈撓あるいは焼折する。
【００９４】
そして、掛止軸３５１が屈撓あるいは焼折すると、掛止軸３５１の当接支止端部（当接支止部位）はシャッタ本体３２０の底端辺部を支止できなくなって、この底端辺部から離間するので、掛止軸３５１は、シャッタ本体３２０を掛止できなくなり、シャッタ本体３２０の掛止を解除する。
【００９５】
すると、シャッタ本体３２０は、燻し焼き窯１００の本体円筒部１１０の周面を、シャッタガイド部３４０に沿って自重で摺動降下し、第１送気開口部３１０を被覆して摺動降下を停止する。
【００９６】
燻炭を製造する場合には、シャッタ本体３２０は、あらかじめ第１端辺部３２１が底端辺部となるようにシャッタガイド３６０に挿嵌されているので、掛止軸３５１によって掛止が解除され、自重で摺動降下すると、第２送気開口部３３０が第１送気開口部３１０と重なり合うことなく、第１送気開口部３１０を閉成被覆するので、燻し焼き窯１００の空気導入室１０１に空気が自然送気されなくなる。
【００９７】
そして、このシャッタ本体３２０による第１送気開口部３１０の閉成被覆によって、燻し焼き窯１００は消壺のような動作をすることとなるので、燻し焼き室１０２内の燻炭を消火することができる。
【００９８】
なお、この燻炭の消火の際には、第１送気開口部３１０を上記のように閉成被覆するとともに、作業者は、煙突４００を本体天蓋部１３０の煙突嵌合部４３０から取りはずし、この煙突嵌合部４３０も閉成被覆することが望ましい。第１送気開口部３１０とともに煙突嵌合部４３０も閉成被覆することによって、消火にかかる時間を短縮することができるからである。
【００９９】
燻灰を製造する場合には、シャッタ本体３２０は、上記燻炭を製造する場合とは逆に、あらかじめ第２端辺部３２２が底端辺部となるようにシャッタガイド３６０に挿嵌されているので、掛止軸３５１によって掛止が解除され、自重で摺動降下すると、第２送気開口部３３０が第１送気開口部３１０と重なり合うように第１送気開口部３１０を被覆し、燻し焼き窯１００の空気導入室１０１には、第２送気開口部３３０を介して空気が自然送気されるようになる。
【０１００】
空気導入機構３００の第２送気開口部３３０を介して燻し焼き窯１００の空気導入室１０１内に空気を自然送気することによって、植物原料の燻し焼き炭化によって得られた燻炭は消火されることなく、燻し焼き窯１００の燻し焼き室１０２内において、上記燻炭の燻し焼きを層順次に移動継続させて、この燻炭が燻し焼き灰化される。
【０１０１】
つまり、燻炭の燻し焼きは、植物原料の燻し焼きのときとは逆に、直近での植物原料燻し焼き層であった燻炭の最下層から開始され、燻炭の内の燻し焼きされている部分（燻炭燻し焼き層）が、最下層から上層に向けて順次進んでいく。そして、この燻炭燻し焼き層が燻炭の天面表層（最上層）の直下まで到達すると、この天面表層の燻炭を未灰化で残したまま、燻し焼き灰化を終了する。
【０１０２】
燻炭の燻し焼きが開始されると、燻炭燻し焼き層は、その底側からの空気の供給に応じて、燻炭の下層から上層に移動していく。酸素を含んだ適量の空気は、空気導入機構３００の第２送気開口部３３０から燻し焼き窯１００の空気導入室１０１内に自然送気され、グリッド部１４０のグリッドを通過して、すでに燻し焼きされて灰化した下層の燻灰の間を通過し、燻炭燻し焼き層に供給される。
【０１０３】
そして、燻灰の余熱と、底側から供給される空気との相互作用によって、燻灰直上の燻炭層の燻し焼き灰化が開始され、このサイクルの繰り返しによって、燻炭燻し焼き層の上層移動がなされる。
【０１０４】
このように、燻し焼き層を燻炭の下層から上層に移動させながら継続させ、燻炭の上層まで到達させることにより、燻し焼き室１０２内に生成された燻炭は、層順次に燻し焼き灰化され、燻灰となる。
【０１０５】
なお、上記燻し焼き灰化の終了時には、燻炭の天面表層に未灰化の薄い燻炭層が残る場合がある。例えば、籾殻を植物原料として使用した場合には、籾殻１層〜数層分の薄い籾殻燻炭層が未灰化のまま残る場合がある。
【０１０６】
この燻炭の燻し焼き灰化は、８００℃以下の低温での燻し焼き灰化（低温燻し焼き灰化）となる。なお、この燻し焼き灰化の際にも、燻し焼き窯１００は静止しており、燻炭を流動させることはしないので、上記燻灰は、燻炭の容姿が略そのまま残ったものとなる。本実施の形態の籾殻を植物原料とした燻灰（籾殻燻灰）では、籾殻燻炭の容姿、つまり植物原料である籾殻の容姿が略そのまま残ったものとなる。
【０１０７】
上記燻炭の燻し焼き灰化の際には、空気導入機構３００のシャッタ本体３２０は、第２送気開口部３３０が第１送気開口部３１０と重なり合うように第１送気開口部３１０を被覆しており、開口量が固定の第２送気開口部３３０を介して燻し焼き窯本体１００の空気導入室１０２内に適量の空気が自然送気され、グリッド部１４０を通過して燻し焼き室１０２に送り込まれるようになっている。従って、空気導入機構３００の構成上の送気条件は、燻し焼き灰化の開始から終了まで固定されたままである。
【０１０８】
ただし、一般に、低温燻し焼き灰化に最適な時間当たりの空気の量は、低温燻し焼き炭化に最適なそれよりも少ない。このため、第２送気開口部３３０の開口量は、第１送気開口部３３０の開口量よりも狭くするものとし、例えば、第１送気開口部３３０の開口量のおよそ１／１５〜３／４とする。
【０１０９】
また、上記燻炭の燻し焼き灰化の際には、煙突４００の煙突本体長筒部４１０は、煙突支持部４４０によってあらかじめ固定傾斜配置されており、燻し焼き窯１００の燻し焼き室１０１内から傾斜角および開口量を固定された煙突４００を通過して灰化時燻煙が自然排気されるようになっている。従って、煙突４００の構成上の排気条件も、燻し焼き灰化の開始から終了まで固定されたままである。
【０１１０】
上記燻炭の燻し焼き灰化の際、空気導入口３００の第２送気開口部３３０を介して自然送気された空気は、燻炭燻し焼き層よりも下層の燻灰の間を通過して燻炭燻し焼き層まで到達し、主にこの燻炭燻し焼き層で消費される。燻炭燻し焼き層において生じた燻煙は、そこよりも上層の未灰化の燻炭層（灰化時燻炭層）の間を上昇して煙突４００内に誘導され、煙突４００の煙突本体長筒部４１０を介して自然排気される。
【０１１１】
本実施の形態の燻し焼き装置では、層順次の燻し焼き灰化に適量の空気を、空気導入機構３００の第２送気開口部３３０を介して燻炭燻し焼き層の底側に自然送気するとともに、灰化時燻煙を、煙突４００の煙突本体長筒部４１０を介して自然排気することによって、燻炭を最下層から上層に向けて層順次に灰化させるようにしているので、燻し焼き灰化のときに、燻し焼き室１０２内を８００℃以下の低温燻し焼き灰化の環境とすることができる。
【０１１２】
そして、このような低温燻し焼き灰化によって、燻炭中のケイ酸成分の結晶化を抑制して、有機質成分をじっくりと完全燃焼させることができるので、ケイ酸成分が非晶質構造のまま高濃度に含有された燻灰が得られる。
【０１１３】
本実施の形態によって得られる燻灰中に主成分として高濃度に含有されるケイ酸は、低温燻し焼き灰化によって溶解性の高い非晶質のものである。このような燻灰を農作物肥料として使用すれば、農作物が必要量のケイ酸成分を容易に摂取することができる。従って、本実施の形態による燻灰は、ケイ酸質肥料として価値の高い農作物肥料である。
【０１１４】
特に、本実施の形態の植物原料である籾殻は、ケイ酸成分を極めて高濃度に含有しているので、得られた籾殻燻灰は、上記低温燻し焼き炭化および上記低温燻し焼き灰化によって、水等の溶解性の極めて高いケイ酸成分を極めて高濃度に含有した肥料（籾殻燻灰肥料）となる。
【０１１５】
燻し焼きによって熱せられて燻炭中から揮発した残留燻液原液成分（残留燻液成分とともに残留タール成分等も含むもの）は、灰化時燻煙に混合されて上昇し、煙突４００内に誘導され、この煙突４００の煙突本体長筒部４１０内で冷却されて結露し、燻液原液収容器５００内に滴下貯集される。この燻液原液収容器５００内に貯集された燻液原液（灰化時燻液原液）からは、必要に応じてタール成分等が除去分離され、燻液成分（灰化時燻液成分）が抽出される。
【０１１６】
ただし、本実施の形態の燻し焼き装置においては、灰化時燻液原液の回収量は、炭化時燻液原液の回収量よりも少なくなり、灰化時燻液原液の透明度は、炭化時燻液原液よりも高いものとなり、灰化時燻液原液から採取される燻液成分のＰＨ値は、炭化時燻液原液から採取される燻液成分のＰＨ値よりも高いものとなる。
【０１１７】
このような本実施の形態の燻し焼き装置では、燻し焼き室１０２に充填した植物原料のおよそ６〜８割の容量の燻炭が得られ、燻し焼き室１０２に充填した植物原料のおよそ３〜５割の容量の燻灰が得られる。
【０１１８】
なお、本実施の形態の焼き燻し焼き装置では、燻し焼き窯１００を、本体円筒部１１０と本体天蓋部１３０の間に本体円錐台部１２０を設けた複合体構造としている。この本体円錐台部１２０は、燻し焼き炭化温度をより低温でばらつきの少ない再現安定性の高いものとし、燻し焼き灰化温度をより低温とし、煙突４００内に誘導される炭化時燻煙および灰化時燻煙をより低温化とする役目を果たすものと推測される。
【０１１９】
さらに、植物原料を、その天面表層が本体円錐台部１２０に達するように充填する場合には、点火時の植物原料の天面表層の面積を狭くすることができるので、未炭化部分の発生を低減することができる。
【０１２０】
上記低温燻し焼き炭化の環境および上記低温燻し焼き灰化の環境を確実に確保しつつ、層順次の燻し焼き炭化および層順次の燻し焼き灰化を確実に継続させるとともに、未炭化部分の発生を低減するために、本体円錐台部１２０の底角は、４０°〜５０°の範囲内に設定することが望ましい。
【０１２１】
以上のように本発明の実施の形態によれば、燻し焼き炭化が植物原料の最下層に到達するまでは、燻し焼き窯１００の周面を自重で摺動降下可能なシャッタ本体３２０を、掛止軸３５１によって第１送気開口部３１０の直上に掛止して、第１送気開口部３１０を介して燻し焼き炭化に適量の空気を自然送気し、燻し焼き炭化が植物原料の最下層に到達したら、掛止軸３５１が燻し焼き炭化の熱によって屈撓あるいは焼折することによって上記掛止を解除して、シャッタ本体３２０を摺動降下させ、第１端辺部３２１と第２端辺部３２２の何れを底端辺部としてシャッタ本体３２０を配置していたかによって、第１送気開口部３１０を閉成被覆して燻し焼きを消火するか、あるいは第２送気開口部３３０が重なるように第１送気開口部３１０を被覆して第２送気開口部３３０を介して燻し焼き灰化に適量の空気を自然送気することにより、簡易かつコンパクトな構成で、燻し焼き炭化および燻し焼き灰化にいずれにも最適な空気導入ならびに燻し焼きの消火が容易かつ確実に可能になる。
【０１２２】
図３は本発明の実施の形態の他の空気導入機構の構成を説明する図である。図３において、（ａ）〜（ｄ）はそれぞれ他のシャッタ本体の正面図である。また、（ｅ１）および（ｅ２），（ｆ１）および（ｆ２），（ｇ１）および（ｇ２）はそれぞれ他の掛止構成体の図であり、（ｅ１），（ｆ１），（ｇ１）は燻し焼き窯の本体円錐台部を取りはずしたときの天面図、（ｅ２），（ｆ２），（ｇ２）はそれぞれ上記（ｅ１），（ｆ１），（ｇ１）の部分側断面図である。なお、図３において、図１または図２と同様のものには同じ符号を付してある。
【０１２３】
図３（ａ）のシャッタ本体３２０Ａは、上記本実施の形態のシャッタ本体３２０において、第１端辺部３２１および第２端辺部３２２の略中央位置に、それぞれ嵌合切欠き部３２３，３２４を削設したものである。
【０１２４】
嵌合切欠き部３２３および３２４は、掛止構成体の当接支止部位（掛止軸３５１の当接支止端部)を嵌合させて、ずれを生じないようにする役目を果たす。なお、シャッタ本体３２０Ａに開口された第２送気開口部３３０Ａは、略正方の開口となっている。
【０１２５】
図３（ｂ）のシャッタ本体３２０Ｂは、上記本実施の形態のシャッタ本体３２０において、第２送気開口部３３０の周囲に、略円筒型のフード部３２５Ｂを凸設したものである。
【０１２６】
このフード部３２５Ｂは、高さ寸法が低いもので間に合うものであって、シャッタ本体に必須の構成ではないが、シャッタ本体をシャッタガイド部に挿嵌するときに作業者のハンドリングをし易くする役目を果たし、シャッタ本体の掛止が解除されたときに、シャッタ本体の自重での摺動降下をし易くする錘のような役目を果たす。
【０１２７】
なお、フード部３２５Ｂを、例えば、半円筒型あるいは角筒型または半角筒型とすることも可能である。また、シャッタ本体の第２送気開口部とは個別の部位に、ハンドリング操作およびシャッタ本体の自重での摺動降下をし易くする役目をするための凸部を設けた構成とすることも可能である。
【０１２８】
図３（ｃ）のシャッタ本体３２０Ｃは、上記本実施の形態のシャッタ本体３２０において、第１端辺部３２１および第２端辺部３２２を、それぞれ水平から傾斜させた構成としたものである。
【０１２９】
傾斜した第１端辺部３２１および第２端辺部３２２は、シャッタ本体３２０Ｃの底端辺部として配置された場合に、掛止構成体（掛止軸３５１）の可撓可焼部位が鉛直ではなく斜めに屈撓あるいは焼折しても、掛止構成体の当接支止部位（掛止軸３５１の当接支止端部）を斜めに逃がして、掛止を解除されたシャッタ本体の摺動降下の邪魔にならないようにする役目を果たす。
【０１３０】
図３（ｄ）では、第２送気開口部３３０が削設開口された第１シャッタ本体３２０ａと、第２送気開口部３３０がない第２シャッタ本体３２０ｂとをあらかじめ個別に用意しておき、燻灰を製造するときには、第１シャッタ本体３２０ａを使用し、燻炭を製造するときには、第２シャッタ本体３２０ｂを使用する。
【０１３１】
この場合には、同じ１枚のシャッタ本体を燻灰の製造および燻炭の製造に使用する構成よりも、それぞれのシャッタ本体およびシャッタガイド部の高さ寸法（鉛直寸法）を短くすることができる。
【０１３２】
図３（ｅ１），（ｅ２）の空気導入機構３００Ｅは、第１送気開口部３１０と、シャッタ本体３２０と、第２送気開口部３３０と、シャッタガイド部３４０と、掛止軸３５１Ｅと、交止軸３５２Ｅと、掛止ガイド部３６０Ｅと、グリッド盤体切欠き部３７０とを備えて構成されている。なお、この空気導入機構３００Ｅでは、掛止軸３５１Ｅおよび交止軸３５２Ｅが、本発明の掛止構成体に相当する。
【０１３３】
掛止軸３５１Ｅは、その一端部が、第１送気開口部３１０から突出してシャッタ本体３２０の底端辺部を当接支止する当接支止端部（当接支止部位に相当する）となり、その他端がガイド挿入端部となる軸体であって、上記本実施の形態の掛止軸３５１とは異なり、その全体が、燻し焼き炭化の熱によって屈撓も焼折もしない不撓不焼体である。
【０１３４】
交止軸３５２Ｅは、その一部または全体が、燻し焼き炭化の熱によって屈撓あるいは焼折する可撓可焼体によって構成された軸体である。この交止軸３５２Ｅとしては、専用のものを用意することの他に、例えば竹串や割り箸を簡易に使用することが可能である。
【０１３５】
掛止ガイド部３６０Ｅは、掛止構成体（掛止軸３５１Ｅおよび交止軸３５２Ｅ）をグリッド部１４０に設置するためのものであり、グリッド部１４０の天面に固設されている。この掛止ガイド部３６０Ｅは、天面が解放されていて、掛止軸３５１Ｅの側面のみをガイドする構成となっており、かつ交止軸３５２Ｅを挿通させるための軸挿通開口部を有している。
【０１３６】
そして、掛止ガイド部３６０Ｅは、掛止軸３５１Ｅのガイド挿入端部が挿入された上で、交止軸３５２Ｅが、掛止軸３５１Ｅの天面に当接するように、かつ掛止軸３５１Ｅと略直交をなすように挿通されることによって、掛止軸３５１Ｅを水平および鉛直に位置決めする。
【０１３７】
このような空気導入機構３００Ｅの掛止構成体（掛止軸３５１Ｅおよび交止軸３５２Ｅ）は、燻し焼き炭化が燻し焼き室１０２内の植物原料の最下層に到達するまでは、シャッタ本体３２０の摺動降下を掛止軸３５１Ｅの当接支止端部によって掛止し、燻し焼き炭化が植物原料の最下層に到達したら、交止軸３５２Ｅが屈撓あるいは焼折して掛止軸３５１Ｅのガイド挿入端部の交止が解除されることによって、上記掛止を解除する。
【０１３８】
図３（ｆ１），（ｆ２）の空気導入機構Ｆは、第１送気開口部３１０と、シャッタ本体３２０と、第２送気開口部３３０と、シャッタガイド部３４０と、掛止軸３５１Ｆと、交止軸３５２Ｆと、バネ部３５３Ｆと、掛止ガイド部３６０Ｆとを備えて構成されている。なお、この空気導入機構３００Ｆでは、掛止軸３５１Ｆおよび交止軸３５２Ｆならびにバネ部３５３Ｆが、本発明の掛止構成体に相当する。
【０１３９】
掛止軸３５１Ｆは、その一端部が、第１送気開口部３１０から突出してシャッタ本体３２０の底端辺部を当接支止する当接支止端部（掛止構成体の当接支止部位）となり、その他端部がガイド挿入端部となる軸体であって、上記本実施の形態の掛止軸３５１とは異なり、その全体が、燻し焼き炭化の熱によって屈撓も焼折もしない不撓不焼体である。この掛止軸３５１Ｆのガイド挿入端部の近傍には、軸に略直交する凸部が設けられている。
【０１４０】
交止軸３５２Ｆは、その一部または全体が、燻し焼き炭化の熱によって屈撓あるいは焼折する可撓可焼体によって構成された軸体である。この交止軸３５２Ｆとしては、専用のものを用意することの他に、例えば竹串や割り箸を簡易に使用することが可能である。
【０１４１】
バネ部３５３Ｆは、その一端がグリッド部１４０の天面側に固定され、その他端は掛止軸３５１Ｆのガイド挿入端部に連接されている。
【０１４２】
掛止ガイド部３６０Ｆは、掛止構成体（掛止軸３５１Ｆおよび交止軸３５２Ｆならびにバネ部３５３Ｆ）をグリッド部１４０に設置するためのものであり、グリッド部１４０の天面に固設されている。この掛止ガイド部３６０Ｆは、天面が解放されていて、掛止軸３５１の側面のみをガイドする構成となっており、かつ交止軸３５２Ｆを挿通させるための軸挿通開口部を有している。
【０１４３】
そして、掛止ガイド部３６０Ｆは、掛止軸３５１Ｆのガイド挿入端部が挿入された上で、交止軸３５２Ｆが、掛止軸３５１Ｅのガイド挿入端部の天面、および掛止軸３５１Ｅの上記凸部のグリッド部１４０中心側の面が当接するように、かつ掛止軸３５１Ｆと略直交をなすように挿通されることによって、掛止軸３５１Ｆを水平および鉛直に位置決めする。
【０１４４】
このとき、バネ部３５３Ｆは、自然長よりも長くなっており、掛止軸３５１Ｆをグリッド部１４０の中心側に引き込むように付勢するが、掛止軸３５１Ｅの凸部が交止軸３５２Ｆのグリッド部１４０周端側の面に当接することよって、掛止軸３５１Ｅは静止保持される。
【０１４５】
このような空気導入機構３００Ｆの掛止構成体（掛止軸３５１Ｆおよび交止軸３５２Ｆならびにバネ部３５３Ｆ）は、燻し焼き炭化が燻し焼き室１０２内の植物原料の最下層に到達するまでは、シャッタ本体３２０の摺動降下を掛止軸３５１Ｆの当接支止端部によって掛止し、燻し焼き炭化が植物原料の最下層に到達したら、交止軸３５２Ｆが屈撓あるいは焼折して掛止軸３５１Ｆのガイド挿入端部および凸部の交止が解除され、バネ部３５３Ｆが掛止軸３５１Ｆをグリッド部１４０の中心側に引き込むことによって、上記掛止を解除する。
【０１４６】
図３（ｇ１），（ｇ２）の空気導入機構Ｇは、第１送気開口部３１０と、シャッタ本体３２０と、第２送気開口部３３０と、シャッタガイド部３４０と、掛止軸３５１と、掛止ガイド部３６０Ｇと、グリッド盤体開口部３８０Ｇとを備えて構成されている。
【０１４７】
掛止ガイド部３６０Ｇは、掛止構成体に相当する掛止軸３５１をグリッド部１４０に設置するためのものであり、グリッド部１４０の底面に固設されている。この掛止ガイド部３６０Ｇは、正面視が略コの字型であって、側面のみならず底面をもガイドする構成となっており、掛止軸３５１のガイド挿入端部が挿入され、掛止軸３５１を水平および鉛直に位置決めする。
【０１４８】
グリッド盤体開口部３８０Ｇは、グリッド部１４０の底面に配置される掛止軸３５１の軸途中の部位を露出するように、グリッド部１４０に削設開口されている。
【０１４９】
このような空気導入機構３００Ｇの掛止軸３５１は、その全体が可撓可焼体によって構成されていても、グリッド盤体開口部３８０Ｇによって露出された部位が可撓可焼部位となる。
【０１５０】
ここで、層順次の燻し焼き炭化の際には、天面視において、燻し焼き室１０１の中心部よりも周端部で燻し焼き炭化が多少速く進んで、植物原料の最下層に達する場合がある。この場合、上記実施の形態の空気導入機構３００では、周端部で掛止軸３５１が屈撓または焼折したときに、中心部の最下層に植物原料が未炭化のまま残っていることがある。
【０１５１】
そこで、上記空気導入機構３００Ｅおよび上記空気導入機構３００Ｆでは、掛止構成体として、掛止軸の他に交止軸を設け、掛止軸ではなく、交止軸に可撓可焼部位を設け（つまり、交止軸の一部または全体を可撓可焼体とし）、交止軸が燻し焼き炭化の熱によって屈撓または焼折したら、シャッタ本体の掛止を解除するようにした。
【０１５２】
交止軸の位置は、例えば、グリッド部の中心部から周端部までの間に、掛止ガイド部を複数配置する、あるいは掛止ガイド部に交止軸を挿通するための軸挿通開口を複数設けることによって、グリッド部の中心部から周端部まで途中において変更することが可能である。
【０１５３】
従って、上記空気導入機構３００Ｅおよび上記空気導入機構３００Ｆでは、交止軸の位置をグリッド部の中心部から周端部まで途中において変更することによって、シャッタ本体３２０の掛止を解除するタイミングを微調整可能であり、この掛止解除のタイミングを最適にすることによって、中心部の最下層に植物原料が未炭化のまま残ることを解消できる。
【０１５４】
なお、上記空気導入機構３００Ｆでは、バネ部３５３Ｆの引き込み動作によって掛止軸３５１Ｆが鉛直面内で回動することがないので、グリッド部１４０にグリッド盤体切欠き部３７０を設ける必要はない。
【０１５５】
また、上記空気導入機構３００Ｇでは、掛止軸３５１をグリッド部１４０の底面側に配置しており、掛止軸３５１の可撓可焼部位が屈撓または焼折しても、当接支止端部側がグリッド部１４０に当接することはないので、上記空気導入機構３００Ｆと同様に、グリッド部１４０にグリッド盤体切欠き部３７０を設ける必要はない。
【０１５６】
図４は本発明の実施の形態の他の燻し焼き窯の構成を説明する図であり、（ａ１），（ｂ１），（ｃ１）は正面図、（ａ２），（ｂ２），（ｃ２）は天面図である。なお、図４において、図１〜図３と同様のものには同じ符号を付してある。
【０１５７】
図４（ａ１），（ａ２）の燻し焼き窯１００Ａは、本体円筒部１００の天側周縁部上に、略円盤型の本体天蓋部１３０Ａを載置した構成であって、全体として略円筒型である。この燻し焼き窯１００Ａは、本体円錐台部１２０を設けていないため、本体天蓋部１３０Ａの径は、本体円筒部１１０の径と略同じになる。
【０１５８】
図４（ｂ１），（ｂ２）の燻し焼き窯１００Ｂは、天側が開口された略四角筒型の本体角筒部１１０Ｂの天側周縁部上に、天側および底側が開口された略四角錐台型の本体角錐台部１２０Ｂを載置し、この本体角錐台部１２０Ｂの天側周縁部上に、略四角盤型の本体天蓋１３０Ｂを載置した構成である。
【０１５９】
図４（ｃ１），（ｃ２）の燻し焼き窯１００Ｃは、天側が開口された略八角筒型の本体角筒部１１０Ｃの天側周縁部上に、略八角盤型の本体天蓋１３０Ｃを載置した構成であって、全体として略八角筒型である。
【０１６０】
なお、空気導入機構３００のシャッタ本体３２０は、その裏面を燻し焼き窯の周面に当接させて摺動降下可能であることが必要なため、筒部の周面が円面ではなく平面である燻し焼き窯１００Ｂおよび１００Ｃにおいては、その周面にシャッタ本体３２０が適合するように、空気導入機構３００のシャッタ本体３２０およびシャッタガイド３４０等を構成することが必要となる。
【０１６１】
以上、本発明を実施するための形態について詳細に説明したが、本発明はこれらに限定されるものではなく、その主旨を逸脱しない範囲において種々の変更が可能である。
【符号の説明】
【０１６２】
１００，１００Ａ，１００Ｂ，１００Ｃ  燻し焼き窯
１０１  空気導入室
１０２  燻し焼き室
１１０  本体円筒部
１１０Ｂ，１１０Ｃ  本体角筒部
１２０本体円錐台部
１２０Ｂ  本体角錐台部
１３０，１３０Ａ，１３０Ｂ，１３０Ｃ  本体天蓋部
１４０  グリッド部
２００  支持機構
３００，３００Ｅ，３００Ｆ，３００Ｇ  空気導入機構
３１０  第１送気開口部
３２０，３２０Ａ，３２０Ｂ，３２０Ｃ  シャッタ本体
３２０ａ  第１シャッタ本体
３２０ｂ  第２シャッタ本体
３２１  第１端辺部
３２２  第２端辺部
３２３，３２４  嵌合切欠き部
３２５Ｂ  フード部
３３０，３３０Ａ  第２送気開口部
３４０  シャッタガイド部
３５１，３５１Ｅ，３５１Ｆ  掛止軸
３５２Ｅ，３５２Ｆ  交止軸
３５３Ｆ  バネ部
３６０，３６０Ｅ，３６０Ｆ，３６０Ｇ  掛止ガイド部
３７０  グリッド盤体切欠き部
３８０Ｇ  グリッド盤体開口部
４００  煙突
４１０  煙突本体長筒部
４２０  煙突本体接続部
４３０  煙突嵌合部
４４０  煙突支柱部
５００  燻液原液収容器
【図１】
2015044964.tif 000003
【図２】
2015044964.tif 000004
【図３】
2015044964.tif 000005
【図４】
2015044964.tif 000006